(57)【要約】【課題】本発明は、煙検知室内に構成される光学部材の設置位置を、その光学部材の煙量の検知部分に対する塵埃の堆積を防ぐ位置とする煙感知器を提案することを目的とする。【解決手段】煙感知器を壁面上に設置したとき、光学基台１に構成される検知室において、感煙領域Ｓが発光部７及び受光部８それぞれに対して床側に配置される。これにより、発光部７の発光面及び受光部８の受光面のそれぞれが天井面を向かないように、発光部７及び受光部８の位置が決定される。よって、発光部７の発光面及び受光部８の受光面のそれぞれへの塵埃の堆積を防止できる。【選択図】図１
2010039937.tif 000002
【特許請求の範囲】
【請求項１】
煙が流入する検知室と、該検知室内に光を照射する発光部と、該発光部からの光に基づく散乱光を受光する受光部と、を備え、前記検知室内に流入された煙に前記発光部からの光が照射されて発生する散乱光を前記受光部が受光し、当該受光部による受光量を煙量として検出する煙感知器において、
前記発光部の発光面が、水平方向又は水平方向よりも床面側となる方向に光を照射する方向を向くことを特徴とする煙感知器。
【請求項２】
煙が流入する検知室と、該検知室内に光を照射する発光部と、該発光部からの光に基づく散乱光を受光する受光部と、を備え、前記検知室内に流入された煙に前記発光部からの光が照射されて発生する散乱光を前記受光部が受光し、当該受光部による受光量を煙量として検出する煙感知器において、
前記受光部の受光面が、水平方向又は水平方向よりも床面側からの光を受光する方向を向くことを特徴とする煙感知器。
【請求項３】
煙が流入する検知室と、該検知室内に光を照射する発光部と、該発光部からの光に基づく散乱光を受光する受光部と、を備え、前記検知室内に流入された煙に前記発光部からの光が照射されて発生する散乱光を前記受光部が受光し、当該受光部による受光量を煙量として検出する煙感知器において、
前記発光部の発光面が、水平方向又は水平方向よりも床面側となる方向に光を照射する方向を向き、且つ、前記受光部の受光面が、水平方向又は水平方向よりも床面側からの光を受光する方向を向くことを特徴とする煙感知器。
【請求項４】
請求項１乃至請求項３のいずれか一項において、
前記煙室内に流入した煙による散乱光が発生する感煙領域に設置されて、前記発光部からの光の前記受光部への直接の入光を防ぐ遮光壁を、
更に備え、
前記遮光壁の前記感煙領域側の面が床面側を向くことを特徴とする煙感知器。
【発明の詳細な説明】
【技術分野】
【０００１】
本発明は、煙に反応して火災を検知する煙感知器に関し、詳しくは煙検知室に流入してきた煙に発光部の光をあて、煙の粒子によって散乱された散乱光を受光部で受光させて、火災を検知するようにした光電式の煙感知器に関する。
【背景技術】
【０００２】
従来より、煙感知器は、複数のラビリンス壁を周設した検知室内に、発光部を設けるとともに、この発光部から発せられた光を直接受光しない位置に受光部を設けて、感煙領域を構成する（特許文献１参照）。そして、この煙感知器として、ラビリンス壁間の空隙に形成された煙流入口を通って感煙領域に流入して来た煙による散乱光を受光部で受光させ、これを受光信号として閾値を超えたときに火災発報信号を出力して火災警報を行う火災警報器が知られている。
【０００３】
この従来の煙感知器の構成について、図５を参照にして簡単に説明する。図５に示す煙感知器１００は、ＬＥＤなどの発光素子が配設された発光部１１０と、受光素子が配設された受光部１２０とを備える。この発光部１１０と受光部１２０とは、それぞれの光軸が同一水平面上で角度をもって交差するように、配置される。これにより、発光部１１０が、検知室の略中央部分にある感煙領域Ｓに侵入した煙粒子に光を照射する。そして、感煙領域Ｓで散乱した散乱光を受光した受光部１２０は、受光した光の光量を受光信号に変換する。
【０００４】
この煙感知器は、発光部１１０から受光部１２０に直接入光しないようにするための遮光壁（遮光用支柱）１３０を更に備え、この遮光壁１３０の長さ寸法と位置は、発光部１１０からの投光の障害にならないように規定されている。又、検知室の周囲には、煙の侵入は許容し、外光の侵入を防止する複数のラビリンス壁１４０が設けられる。この複数のラビリンス壁１４０間の空隙によって、検知室内へ煙を流入させる煙流入口が形成される。そして、このような構成となる煙感知器１００は、発光部１１０と受光部１２０と遮光壁１３０を備えた光電基台１５０と、複数のラビリンス壁１４０を形成したラビリンス筒体１４１とを組み合わせて構成される。
【特許文献１】特開平９−２３１４８５号公報
【発明の開示】
【発明が解決しようとする課題】
【０００５】
ところで、従来の煙感知器は、室内の煙量の検出を行うために、煙量の検出対象となる室内の天井面又は壁面に設置される。特に、火災警報器として利用される場合は、火災により熱対流が発生するため、煙感知器を室内の天井面又は壁面に設置することで、熱対流に沿って流れる煙が、煙感知器内に流入しやすくなる。しかしながら、図５に示す煙感知器１００のように、従来の煙感知器は、発光部１１０及び受光部１２０それぞれの光軸が交差するように形成される。
【０００６】
そのため、煙感知器１００を壁面に設置した場合に、発光部１１０の発光面や受光部１２０の受光面が天井側を向いた、図６に示すような状態で、その煙感知器１００が固定設置される場合がある。尚、図６は、煙感知器１００における検知室内の状態を示す概略図である。このように、検知室内が図６のような状態で煙感知器１００が固定設置された場合、発光部１１０の発光面や受光部１２０の受光面が天井側を向いているため、検知室内に流入した塵埃が、発光部１１０の発光面や受光部１２０の受光面に堆積する恐れがある。この発光部１１０の発光面又は受光部１２０の受光面への塵埃の堆積が、発光部１１０の発光量又は受光部１２０の受光量に影響を与えるため、結果、煙感知器１００の煙量の検知能力が低下してしまう。
【０００７】
このような問題を鑑みて、本発明は、煙検知室内に構成される光学部材の設置位置を、その光学部材の煙量の検知部分に対する塵埃の堆積を防ぐ位置とする煙感知器を提案することを目的とする。
【課題を解決するための手段】
【０００８】
上記目的を達成するために、本発明の煙感知器は、煙が流入する検知室と、該検知室内に光を照射する発光部と、該発光部からの光に基づく散乱光を受光する受光部と、を備え、前記検知室内に流入された煙に前記発光部からの光が照射されて発生する散乱光を前記受光部が受光し、当該受光部による受光量を煙量として検出する煙感知器において、前記発光部の発光面が、水平方向又は水平方向よりも床面側となる方向に光を照射する方向を向くことを特徴とする。
【０００９】
このような煙感知器が壁面に設置されるとき、前記発光部の発光面が天井面を向くことが防止されることで、当該発光部の発光面に塵埃が堆積することを防止できる。又、煙感知器を構成する筐体において、操作部や音孔などの必要な構造を目印として、前記発光部の発光面の向きが認識されるものとしてもよい。
【００１０】
又、本発明の煙感知器は、煙が流入する検知室と、該検知室内に光を照射する発光部と、該発光部からの光に基づく散乱光を受光する受光部と、を備え、前記検知室内に流入された煙に前記発光部からの光が照射されて発生する散乱光を前記受光部が受光し、当該受光部による受光量を煙量として検出する煙感知器において、前記受光部の受光面が、水平方向又は水平方向よりも床面側からの光を受光する方向を向くことを特徴とする。
【００１１】
このような煙感知器が壁面に設置されるとき、前記受光部の受光面が天井面を向くことが防止されることで、当該受光部の受光面に塵埃が堆積することを防止できる。又、煙感知器を構成する筐体において、操作部や音孔などの必要な構造を目印として、前記受光部の受光面の向きが認識されるものとしてもよい。
【００１２】
更に、本発明の煙感知器は、煙が流入する検知室と、該検知室内に光を照射する発光部と、該発光部からの光に基づく散乱光を受光する受光部と、を備え、前記検知室内に流入された煙に前記発光部からの光が照射されて発生する散乱光を前記受光部が受光し、当該受光部による受光量を煙量として検出する煙感知器において、前記発光部の発光面が、水平方向又は水平方向よりも床面側となる方向に光を照射する方向を向き、且つ、前記受光部の受光面が、水平方向又は水平方向よりも床面側からの光を受光する方向を向くことを特徴とする。
【００１３】
これらの煙感知器において、前記煙室内に流入した煙による散乱光が発生する感煙領域に設置されて、前記発光部からの光の前記受光部への直接の入光を防ぐ遮光壁を、更に備えるとき、前記遮光壁の前記感煙領域側の面が床面側を向くものとする。
【発明の効果】
【００１４】
本発明によると、煙量を検知するための光学部材における煙検知に最も影響を与える部分が天井面を向くことを防がれる。これにより、煙量を検知するための光学部材における煙検知に最も影響を与える部分への塵埃の堆積を防止できるため、煙検知能力の低下が抑制される。更に、この光学部材への塵埃の堆積の防止により、塵埃が堆積された場合に発生する迷光や意図しない方向への光の反射なども抑制できる。
【発明を実施するための最良の形態】
【００１５】
＜第１の実施形態＞
本発明における第１の実施形態となる煙感知器について、図面を参照して説明する。図１は、本実施形態の煙感知器を壁面に設置したときの検知室内の状態を示す概略図であり、図２は、本実施形態の煙感知器の構成を示す分解斜視図である。尚、図１に示す概略図において、紙面を壁面と平行な面とするとともに、紙面上側を天井面側とする一方、紙面下側を床面とする。又、図１に示す概略図において、壁面設置となる煙感知器における検知室内部の状態を明確にするため、検知室についてはその断面を示す。更に、本実施形態では、煙感知器として、火災警報の出力を行う図２のような構成の火災警報器を例に挙げて説明する。
【００１６】
図１に示すように、本実施形態の煙感知器は、検知室を形成するラビリンス壁１２などを備えた光学基台１と、光学基台１の外周側を覆う防虫カバー３と、光学基台１上に形成される検知室を保護するために防虫カバー３の更に外周を覆う保護カバー５と、保護カバー５に覆われた検知部を壁面と反対側に突出させるとともに壁面に固定設置される筐体６と、を備える。そして、防虫カバー３及び保護カバー５に覆われた光学基台１は、壁面に対向した面を形成する底板１１を備え、この底板１１の壁面と反対側となる面上に光学部材が配置され、煙検知を行うための検知室が形成される。
【００１７】
この光学基台１の底板１１上の検知室は、底板１１の外縁側に周設される複数のラビリンス壁１２と、底板１１の内側の感煙領域Ｓ側にスリットを設けた収容部１３に発光ダイオードＬを収納した発光部７と、底板１１の内側の感煙領域Ｓ側にスリットを設けた収容部１４にフォトダイオードＰＤを収納した発光部８と、発光部７から照射される光が直接受光部８で受光されることを防ぐための遮光壁（遮光柱）１５とによって構成される。検知室において、発光部７における発光ダイオードＬにより照射される光の光軸と、受光部８におけるフォトダイオードＰＤにより受光される光の光軸とが、互いに交差するように、発光部７及び受光部８の設置位置が決定される。
【００１８】
又、発光部７の収容部１３における発光面側に設けられたスリットにより、発光部７による発光範囲が設定されるとともに、受光部８の収容部１４における受光面側に設けられたスリットにより、受光部８による受光範囲が設定される。そして、発光部７から発光される光の光軸と受光部８で受光される光の光軸とが交差する位置に形成される感煙領域Ｓが、収容部１３，１４それぞれに設けられたスリットの大きさに基づく発光範囲及び受光範囲の重なる領域に設定される。又、発光部７による発光範囲と受光部８による受光範囲の重なる領域の一部に遮光壁１５が設置されて、この遮光壁１５が、発光部７から直接受光部８に到達することを防止する。
【００１９】
このように検知室が光学基台１上に形成されるとき、保護カバー５及び防虫カバー３を通じて流入する煙は、周設されたラビリンス壁１２の隙間により形成される煙流路を通過して、ラビリンス壁１２の内側端に囲まれた領域に形成される感煙領域Ｓに誘導される。このとき、発光部７から感煙領域Ｓに向かって発光ダイオードＬからの光が照射されるため、感煙領域Ｓに誘導された煙により散乱光が発生する。そして、この感煙領域Ｓに発生した散乱光が受光部８のフォトダイオードＰＤにより受光されると、フォトダイオードＰＤによる光電変換動作により、煙量に応じた受光量を現す電気信号が出力される。
【００２０】
更に、図１に示す煙感知器を火災警報器とした場合の構成について、図２の分解斜視図を参照して以下に説明する。図２の煙感知器は、底板１１にラビリンス壁１２及び収容部１３，１４及び遮光壁１５が立設された光学基台１と、発光ダイオードＬ及びフォトダイオードＰＤの光学系素子や各種回路部品が実装される回路基板２と、光学基台１１に形成される検知室の内部に虫や埃などが侵入するのを防止する防虫カバー３と、火災を検知したときに警報音を鳴動する板状のスピーカ４と、スピーカ４及び防虫カバー３を囲う保護カバー５と、回路基板２を内蔵する筐体６とを、備える。
【００２１】
筐体６は、その裏面が設置面に当接されて固定される略円盤状の基台６０と、この基台６０の外周縁より設置面から離れる方向に突出させたリング状の側壁６１と、この側壁６１における基台６０に覆われる端部と逆側の端部を覆う略円盤状の主部６２とを有する。この筐体６における主部６２は、側壁６１との接続部分から中心に向かって、設置面と逆方向に盛り上がった形状となり、その中心部分には円状の開口部６３が形成される。又、回路基板２上に実装された回路と電気的に接続された操作釦６４が、筐体６の主部６２における開口部６３周辺の表面から外部に表出する。
【００２２】
このような構成の筐体６に対して、その内部に回路基板２が収容されるとともに、光学基台１、防虫カバー３、及びスピーカ４が収容された保護カバー５を筐体６の開口部６３に挿入することで、主部６２の開口部６３より突出した状態に組み付けられる。そして、筐体６内部に設置される回路基板２には、光学基台１と対向する面に、発光素子を構成する発光ダイオードＬと、受光素子を構成するフォトダイオードＰＤとが実装されるとともに、各部の動作を制御する制御回路などの複数の回路部品が搭載される。
【００２３】
光学基台１は、底板１１の収容部１３，１４の設置位置に貫通穴を備え、この底板１１に設けた貫通穴に、回路基板２に実装された発光ダイオードＬ及びフォトダイオードＰＤが挿入される。これにより、発光ダイオードＬ及びフォトダイオードＰＤそれぞれが収容部１３，１４内に収容されて、外来ノイズからシールドされる。又、収容部１３，１４内には、発光ダイオードＬ及びフォトダイオードＰＤ以外に、発光部７及び受光８を構成するためのプリズムガラスなどが設けられる。
【００２４】
防虫カバー３は、虫や埃等が光学基台１で構成される光学室内に入らないように防虫網３３を有した構造としている。そして、この防虫網３３を保持する外枠３１は、光学基台１との対向する側の端部が光学基台１の周壁と嵌合されるように構成されるとともに、反対側の端部にスピーカ４を収納する丸穴３２が設けられる。又、スピーカ４は、保護カバー５の底部５１に載置され、取付状態においては、防虫カバーの丸穴３２に嵌り込む形状になっている。更に、保護カバー５は有底円筒状に形成され、底部５１にスピーカ４出力用の複数の音孔５１ａが設けられるとともに、その周壁５２には周方向に沿って開口部５２ａが形成されており、該開口部５２ａから煙が流入するようになっている。
【００２５】
この煙感知器を設置する際、まず、回路基板２、光学基台１、防虫カバー３、スピーカ４、保護カバー５を基台６０に装着した状態で、ネジなどの固定具で螺合されるなどして、基台６０が壁面に固定設置される。そして、基台６０に対して、主部６２及び側壁６１によるベースカバーを被せて、光学基台１、防虫カバー３、スピーカ４、保護カバー５よりなる円筒部を、開口部６３より突出させた状態にする。このとき、筐体６を一体化するため、基台６０とベースカバーとが係止されることで、煙感知器が壁面に取り付けられる。
【００２６】
このようにして煙感知器が壁面へ設置されるとき、図１に示すように、検知室内において、感煙領域Ｓが発光部７及び受光部８それぞれに対して床側に配置されるように、基台６０に対して固定される回路基板２及び光学基台１の設置方向が決定される。即ち、煙感知器が壁面へ設置されたとき、発光部７から照射される光の光軸が、床面よりも平行な方向又は床面側に傾いた方向とされ、発光部７の発光面が天井面を向かないように、発光部７の位置が決定される。受光部８についても同様に、受光部８に入射される光の光軸が、床面よりも平行な方向又は床面側に傾いた方向とされ、受光部８の受光面が天井面を向かないように、受光部８の位置が決定される。
【００２７】
このように、壁面に設置された煙感知器の検知室において、発光部７の発光面及び受光部８の受光面のそれぞれが天井面を向かないように、発光部７及び受光部８の位置が決定される。これにより、発光部７の発光面及び受光部８の受光面のそれぞれに塵埃が堆積することが防止でき、その結果、発光部７からの発光量の低下及び受光部８による受光量の低下がそれぞれ防止される。よって、発光部７及び受光部８が設けられる検知室による煙の検知能力の低下を抑制できる。
【００２８】
更に、図１のように壁面に設置される煙感知器の検知室内において、遮光壁１５も感煙領域Ｓよりも天井側に設置され、遮光壁１５の感煙領域Ｓ側の側面が床面を向くように配置される。これにより、遮光壁１５の感煙領域Ｓ側の側面に塵埃が堆積することが防止されるため、この遮光壁１５への塵埃の堆積に基づく意図しない反射などを防がれ、感煙領域Ｓに影響を与える迷光の発生を抑制できる。よって、この遮光壁１５の配置位置によっても、検知室による煙の検知能力の低下が抑制される。
【００２９】
このように、煙感知器を壁面に設置する場合に、その検知室内において、発光部７、受光部８、及び遮光壁１５のそれぞれの位置がそれぞれ感煙領域Ｓよりも天井面側に設置される。そして、この検知室内の各部品の位置を決定するためには、作業者がその設置位置を認識する必要がある。そのため、例えば、基台６０の設置方向によって筐体６の設置方向が決定される場合は、煙感知器における検知室内の各部品の位置を認識させる目印が基台６０に施されるなどしてもよい。これにより、この基台６０に施された目印により、作業者が壁面設置後の煙感知器の方向を予測できるため、基台６０の壁面への固定設置時に、発光部７、受光部８、及び遮光壁１５のそれぞれの位置がそれぞれ感煙領域Ｓよりも天井面側に設置されるように、筐体６の設置方向を決定できる。
【００３０】
又、側壁６１及び主部６２によるベースカバーが基台６０に対して回動可能であり、このベースカバー側に回路基板２及び光学基台１が固定される場合は、例えば、主部６２より表出する操作釦６４を目印として、光学基台１上の検知室の設置方向を判断するものとしてもよい。尚、図１に示す例では、光学基台１上の検知室よりも左側に操作釦６４が位置するように煙感知器を設置したときに、発光部７、受光部８、及び遮光壁１５のそれぞれの位置がそれぞれ感煙領域Ｓよりも天井面側に設置される。又、操作釦６４に限らず、警報内容の表示用に発光ダイオードや液晶パネルなどを設けた場合は、発光ダイオードや液晶パネルを目印とするなど、筐体６上の他の構成部品を、発光部７、受光部８、及び遮光壁１５のそれぞれの位置を認識するための目印としてもよい。
【００３１】
＜第２の実施形態＞
本発明における第２の実施形態となる煙感知器について、図面を参照して説明する。図３は、本実施形態の煙感知器の構成を示す分解斜視図であり、図４は、本実施形態の煙感知器を壁面に設置したときの検知室内の状態を示す概略断面図である。本実施形態においても、煙検知器として、火災警報の出力を行う図３のような構成の火災警報器を例に挙げて説明する。尚、本実施形態の煙感知器において、第１の実施形態の煙感知器における構成（図１及び図２参照）と同一の部分については同一の符号を付して、その詳細な説明は省略する。
【００３２】
図３に示すように、本実施形態の煙感知器は、ネジで螺合されるなどにより設置面に固定設置される基台６０と、基台６０の外周縁に係合して固定される側壁６１と、側壁６１の基台６０と逆側の面を覆う天板となる主部６２とによって、筐体６が構成される。そして、操作釦６４が主部６０の表面に表出するように主部６２の裏面側から操作釦６４が挿入される釦設置用穴６５と、スピーカ４の設置相対位置の複数の音孔５１ａとが、主部６２に設けられる。
【００３３】
又、側壁６１には、その外周面に開口部６６が形成され、主部６２側の端面が底板６７によって覆われる。この底板６７と主部６２とによって囲まれた空間に、スピーカ４が設置されるため、この空間がスピーカ４による共鳴空間として機能する。そして、底板６７には、光学基台１上に構成される検知室を基台６０側に構成するために、光学基台１の底板１１に設けられたラビリンス壁１２及び収納部１３，１４及び遮光壁１５が挿入される検知室挿入穴６８を備える。
【００３４】
このように構成される煙感知器は、回路基板２上に光学基台１を設置することで、回路基板２上に実装された発光ダイオードＬ及びフォトダイオードＰＤがそれぞれ、光学基台１の収容部１３，１４内に収容される。そして、光学基台１の底板１１上の発光部７及び受光部８を有する検知室が、底板６７の検知室挿入穴６８に挿入される。これにより、側壁６１の基台６０側の空間における、側壁６１に設けられた開口部６６と同じ高さ位置に、光学基台１の検知室が設置される。又、側壁６１の基台６０側の空間には、検知室を構成するラビリンス壁１２及び収納部１３，１４の外側を覆う防虫カバー３が設置される。
【００３５】
このように構成される煙感知器は、筐体６の内部に検知室が構成される。そのため、外部の煙は、まず、側壁６１に設けられた開口部６６より筐体６内部に流入する。このとき、筐体６内における、壁面に対する高さ位置が開口部６６と同一となる空間に、光学基台１によって構成される検知室が構成されるため、側壁６１の開口部６６より筐体６内部に流入された煙が、光学基台１上の検知室まで誘導される。そして、筐体６内部において光学基台１の検知室まで達した煙は、第１の実施形態と同様、ラビリンス壁１２の隙間によって形成される煙流路を通過して、感煙領域Ｓまで流れ込む。よって、この感煙領域Ｓに流入した煙が発光部７からの光によって散乱光を発生し、この散乱光を受光した受光部８により、煙量に応じた受光量を現す電気信号が出力される。
【００３６】
又、図３に示す煙感知器は、上述のように、回路基板２に接続された光学基台１が底板６７から基台６０に向かって検知室挿入穴６８に挿入されることで、底板６７の基台６０側に設置される防虫カバー３により、底板６７から基台６０側に突出した検知室が覆われる。このとき、回路基板２が、操作釦６４及びスピーカ４と共に、底板６７の主部６２側に設置される。この底板６７を有する側壁６１を覆うように、主部６２を側壁６１に接続することで、主部６２と側壁６１によって覆われた空間に、回路基板２、操作釦６４、及びスピーカ４が配置される。
【００３７】
このようにして、側壁６１と主部６２とを接続することによって形成されたベースカバーは、底板６７によって２つの空間に分離される。そして、底板６７の主部６２側の空間に、回路基板２、操作釦６４及びスピーカ４が設置される一方で、底板６７の基台６０側の空間に、光学基台１及び傍注カバー３が設置される。この側壁６１と主部６２とによるベースカバーが、壁面に固定設置される基台６０に係止されることで、煙感知器が壁面に取り付けられる。
【００３８】
このとき、本実施形態の煙感知器についても、図４に示すように、第１の実施形態の煙感知器と同様（図１参照）、検知室内において、感煙領域Ｓが発光部７及び受光部８それぞれに対して床側に配置されるように、底板６７に対する光学基台１の設置方向が決定される。更に、遮光壁１５も感煙領域Ｓよりも天井側に設置され、その感煙領域Ｓ側の側面が床面を向くように配置される。尚、図４では、説明を簡単にするために、筐体６の側壁６１と、光学基台１における発光部７、受光部８、及び遮光壁１５とを概略的に図示した。
【００３９】
このように、煙感知器の壁面設置時において、検知室内の発光部７、受光部８及び遮光壁１５それぞれが感煙領域Ｓよりも天井側に設置されるように位置決定されることで、第１の実施形態と同様、発光部７の発光面、受光部８の受光面、及び遮光壁１５の感煙領域Ｓ側の側面のそれぞれが天井面を向くことがない。よって、発光部７の発光面、受光部８の受光面、及び遮光壁１５の感煙領域Ｓ側の側面のそれぞれに対して、塵埃が堆積されることが防止され、結果、検知室における煙の検知能力の低下を抑制できる。
【００４０】
そして、本実施形態においても、第１の実施形態と同様、光学基台１上の検知室の設置方向を認識するため、図３に示すように、壁面に固定設置される基台６０に目印６９が表示されるものとしてもよい。又、主部６２上に表出する操作釦６４又は主部６２上の音孔５１ａなどといったベースカバー上の構成部品の位置により、光学基台１上の検知室の設置方向が認識されるものとしてもよい。
【００４１】
更に、本実施形態において、側壁６１に囲まれた筐体６内の空間に設置される光学基台１上に形成される検知室が、筐体６の壁面に平行な平面上に対して偏心した位置に設置される場合、図４に示すように、壁面に設置された煙感知器の検知室が、床側に設置されるものとしてもよい。これにより、検知室内において、発光部７、受光部８及び遮光壁１５それぞれよりも床側に配置される感煙領域Ｓを、側壁６１の床側の開口部６６に近づけることができる。よって、火災により発生した煙が、壁面に沿って床から天井に向かって流れるとき、筐体６内部に設置された光学基台１による検知室内の感煙領域Ｓに煙を多く誘導できる。
【産業上の利用可能性】
【００４２】
本発明は、煙量に基づいて火災の検知を行う火災警報器に適用することができる。又、この火災警報器以外にも、空気清浄機や空気清浄機能を備えた空気調和装置などにおける粉塵検知を行う検知器に対しても適用することができる。
【図面の簡単な説明】
【００４３】
【図１】は、本発明の第１の実施形態の煙感知器を壁面に設置したときの検知室内の状態を示す概略図である。
【図２】は、本発明の第１の実施形態の煙感知器の構成を示す分解斜視図である。
【図３】は、本発明の第２の実施形態の煙感知器の構成を示す分解斜視図である。
【図４】は、図３の煙感知器を壁面に設置したときの煙感知器内の検知室の状態と検知室内の状態とを示す概略図である。
【図５】は、従来の煙感知器の内部構造を示す分解斜視図である。
【図６】は、図５の煙感知器を壁面に設置したときの検知室内の状態を示す概略図である。
【符号の説明】
【００４４】
１                  光学基台
２                  回路基板
３                  防虫カバー
４                  スピーカ
５                  保護カバー
６                  筐体
７                  発光部
８                  受光部
１１                底板
１２                ラビリンス壁
１３，１４          収容部
１５                遮光壁
３１                外枠
３２                丸穴
３３                防虫網
５１                底部
５１ａ              音孔
５２                周壁
５２ａ              開口部
６０                基台
６１                側壁
６２                主部
６３                開口部
６４                操作釦
６５                釦設置用穴
６６                開口部
６７                底板
６８                検知室挿入穴
Ｌ                  発光ダイオード
ＰＤ                フォトダイオード
【図１】
2010039937.tif 000003
【図２】
2010039937.tif 000004
【図３】
2010039937.tif 000005
【図４】
2010039937.tif 000006
【図５】
2010039937.tif 000007
【図６】
2010039937.tif 000008